(57)【特許請求の範囲】
【請求項１】
塵埃等を払拭除去するモップ機能と、塵埃等を吸引除去する掃除機機能と、を備えた清掃具であって、
掃除機本体を備えた柄部と、
柄部の先端に連結され、且つ、掃除機本体に連通した吸引口を有する、吸引部と、
吸引部に一体に設けられ、且つ、払拭面を有する、モップ部と、からなり、
吸引部使用状態とモップ部使用状態とが切替え可能となっており、
吸引部が、柄部の先端に、吸引口を下に向けた状態で、且つ、水平軸回りに回動可能に、設けられており、
モップ部が、吸引部外に、水平軸回りに回動可能に設けられており、
モップ部は、払拭面が上を向いている場合にはモップ部が吸引口より高い位置となり、払拭面が下を向いている場合には払拭面が吸引口より低い位置又は同じ高さ位置となるよう、支持されており、
モップ部を吸引部に対して回動させることによって、払拭面が上を向いた吸引部使用状態と、払拭面が下を向いたモップ部使用状態と、を切替えるようになっていることを特徴とする清掃具。
【請求項２】
塵埃等を払拭除去するモップ機能と、塵埃等を吸引除去する掃除機機能と、を備えた清掃具であって、
掃除機本体を備えた柄部と、
柄部の先端に連結され、且つ、掃除機本体に連通した吸引口を有する、吸引部と、
吸引部に一体に設けられ、且つ、払拭面を有する、モップ部と、からなり、
吸引部使用状態とモップ部使用状態とが切替え可能となっており、
吸引部が、柄部の先端に、吸引口を下に向けた状態で、且つ、水平軸回りに回動可能に、設けられており、
モップ部が、吸引部外に、払拭面を下に向けた状態で、梃子を介して設けられており、
モップ部は梃子の一端に設けられており、梃子の他端は吸引部内に位置しており、
柄部の先端が、柄部に対する吸引部の回動に連動して梃子の他端を上下させるカムを有しており、
モップ部は、梃子の一端が上昇すると払拭面が吸引口より高い位置となり、梃子の一端が下降すると払拭面が吸引口より低い位置又は同じ高さ位置となるよう、設けられており、
カムを作動させることによって、払拭面が吸引口より高い位置である吸引部使用状態と、払拭面が吸引口より低い位置又は同じ高さ位置であるモップ部使用状態と、を切替えるようになっていることを特徴とする清掃具。
【請求項３】
塵埃等を払拭除去するモップ機能と、塵埃等を吸引除去する掃除機機能と、を備えた清掃具であって、
掃除機本体を備えた柄部と、
柄部の先端に連結され、且つ、掃除機本体に連通した吸引口を有する、吸引部と、
吸引部に一体に設けられ、且つ、払拭面を有する、モップ部と、からなり、
吸引部使用状態とモップ部使用状態とが切替え可能となっており、
吸引部が、柄部の先端に、吸引口を下に向けた状態で、且つ、水平軸回りに回動可能に、設けられており、
モップ部が、吸引部内に、払拭面を下に向けた状態で、一端にて水平軸回りに回動可能に設けられており、
モップ部は、モップ部の他端から吸引部外に突出したレバーを、上下動させることにより、回動するようになっており、
モップ部は、レバーを上げると払拭面が吸引口より高い位置となり、レバーを下げると払拭面が吸引口より低い位置又は同じ高さ位置となるよう、設けられており、
レバーを上下動させることによって、払拭面が吸引口より高い位置である吸引部使用状態と、払拭面が吸引口より低い位置又は同じ高さ位置であるモップ部使用状態と、を切替えるようになっていることを特徴とする清掃具。
【請求項４】
払拭面が吸引口より低い位置又は同じ高さ位置にある場合に、モップ部の周辺の少なくとも一部には、吸引口の一部が開いている、請求項３記載の清掃具。
【請求項５】
レバーを、上げた位置及び下げた位置にて、それぞれ、吸引部に固定する、レバー上下固定機構を有している、請求項３記載の清掃具。
【請求項６】
モップ部を上方向に付勢するばね機構と、レバーを下げた位置にて吸引部に固定するレバー下固定機構と、を備えた、請求項３記載の清掃具。
【請求項７】
モップ部を下方向に付勢するばね機構と、レバーを上げた位置にて吸引部に固定するレバー上固定機構と、を備えた、請求項３記載の清掃具。
【請求項８】
塵埃等を払拭除去するモップ機能と、塵埃等を吸引除去する掃除機機能と、を備えた清掃具であって、
掃除機本体を備えた柄部と、
柄部の先端に連結され、且つ、掃除機本体に連通した吸引口を有する、吸引部と、
吸引部に一体に設けられ、且つ、払拭面を有する、モップ部と、からなり、
吸引部使用状態とモップ部使用状態とが切替え可能となっており、
吸引部が、柄部の先端に、吸引口を下に向けた状態で、且つ、水平軸回りに回動可能に、設けられており、
モップ部が、吸引部外に、一端にて水平軸回りに回動可能に設けられており、
モップ部は、一方に回動させると、吸引口を覆う位置で、払拭面が、吸引口より低い位置又は同じ高さ位置で下を向いた状態となり、他方に回動させると、他端が柄部に引っ掛けられた状態となるよう、設けられており、
モップ部を回動させることによって、モップ部が吸引口を覆う位置にあるモップ部使用状態と、他端が柄部に引っ掛けられた吸引部使用状態と、を切替えるようになっていることを特徴とする清掃具。
【請求項９】
払拭面が吸引口より低い位置又は同じ高さ位置にある場合に、モップ部の周辺の少なくとも一部には、吸引口の一部が開いている、請求項８記載の清掃具。
【発明の詳細な説明】
【０００１】
【発明の属する技術分野】
本発明は、モップ機能と掃除機機能とを備えた清掃具に関するものである。
【０００２】
【従来の技術】
室内の清掃を行う際に、モップと掃除機とを使用して行う場合がある。その場合には、一般に、モップは、小さな塵埃等を払拭除去したり、大きな塵埃等を一ヶ所に集めたりするのに使用され、掃除機は、大きな塵埃等を吸引除去するのに使用される。
【０００３】
【発明が解決しようとする課題】
上記の場合において、モップを使用した後に掃除機を使用する場合には、モップを片付けて掃除機を取り出すという作業が必要となり、清掃作業全体からみて面倒である。掃除機を使用した後にモップを使用する場合も、同様に面倒である。
【０００４】
更に、上記の場合において、モップを使用している際に掃除機を使用する必要が生じた場合には、モップを一旦どこかに置き、掃除機を清掃個所まで持って来て使用し、その後、掃除機をどこかに置き、置いていたモップを持って来て清掃を続けることとなる。しかしながら、この場合には、モップと掃除機とを、持ち替えたり、どこかに置いたりしなければならないため、面倒であり、清掃の作業効率が低下する。また、置いたモップや掃除機が清掃の邪魔になり、それを退けながら作業しなければならないこともあるため、この点からも、清掃の作業効率が低下する。掃除機を使用している際にモップを使用する必要が生じた場合にも、同様の問題がある。
【０００５】
本発明は、モップと掃除機とを使用する清掃の作業効率を向上できる清掃具を提供することを目的とする。
【０００６】
【課題を解決するための手段】
【０００７】
【０００８】
請求項１記載の発明は、塵埃等を払拭除去するモップ機能と、塵埃等を吸引除去する掃除機機能と、を備えた清掃具であって、掃除機本体を備えた柄部と、柄部の先端に連結され、且つ、掃除機本体に連通した吸引口を有する、吸引部と、吸引部に一体に設けられ、且つ、払拭面を有する、モップ部と、からなり、吸引部使用状態とモップ部使用状態とが切替え可能となっており、吸引部が、柄部の先端に、吸引口を下に向けた状態で、且つ、水平軸回りに回動可能に、設けられており、モップ部が、吸引部外に、水平軸回りに回動可能に設けられており、モップ部は、払拭面が上を向いている場合にはモップ部が吸引口より高い位置となり、払拭面が下を向いている場合には払拭面が吸引口より低い位置又は同じ高さ位置となるよう、支持されており、モップ部を吸引部に対して回動させることによって、払拭面が上を向いた吸引部使用状態と、払拭面が下を向いたモップ部使用状態と、を切替えるようになっているものである。
【０００９】
請求項２記載の発明は、塵埃等を払拭除去するモップ機能と、塵埃等を吸引除去する掃除機機能と、を備えた清掃具であって、掃除機本体を備えた柄部と、柄部の先端に連結され、且つ、掃除機本体に連通した吸引口を有する、吸引部と、吸引部に一体に設けられ、且つ、払拭面を有する、モップ部と、からなり、吸引部使用状態とモップ部使用状態とが切替え可能となっており、吸引部が、柄部の先端に、吸引口を下に向けた状態で、且つ、水平軸回りに回動可能に、設けられており、モップ部が、吸引部外に、払拭面を下に向けた状態で、梃子を介して設けられており、モップ部は梃子の一端に設けられており、梃子の他端は吸引部内に位置しており、柄部の先端が、柄部に対する吸引部の回動に連動して梃子の他端を上下させるカムを有しており、モップ部は、梃子の一端が上昇すると払拭面が吸引口より高い位置となり、梃子の一端が下降すると払拭面が吸引口より低い位置又は同じ高さ位置となるよう、設けられており、カムを作動させることによって、払拭面が吸引口より高い位置である吸引部使用状態と、払拭面が吸引口より低い位置又は同じ高さ位置であるモップ部使用状態と、を切替えるようになっているものである。
【００１０】
請求項３記載の発明は、塵埃等を払拭除去するモップ機能と、塵埃等を吸引除去する掃除機機能と、を備えた清掃具であって、掃除機本体を備えた柄部と、柄部の先端に連結され、且つ、掃除機本体に連通した吸引口を有する、吸引部と、吸引部に一体に設けられ、且つ、払拭面を有する、モップ部と、からなり、吸引部使用状態とモップ部使用状態とが切替え可能となっており、吸引部が、柄部の先端に、吸引口を下に向けた状態で、且つ、水平軸回りに回動可能に、設けられており、モップ部が、吸引部内に、払拭面を下に向けた状態で、一端にて水平軸回りに回動可能に設けられており、モップ部は、モップ部の他端から吸引部外に突出したレバーを、上下動させることにより、回動するようになっており、モップ部は、レバーを上げると払拭面が吸引口より高い位置となり、レバーを下げると払拭面が吸引口より低い位置又は同じ高さ位置となるよう、設けられており、レバーを上下動させることによって、払拭面が吸引口より高い位置である吸引部使用状態と、払拭面が吸引口より低い位置又は同じ高さ位置であるモップ部使用状態と、を切替えるようになっているものである。
【００１１】
請求項４記載の発明は、請求項３記載の発明において、払拭面が吸引口より低い位置又は同じ高さ位置にある場合に、モップ部の周辺の少なくとも一部には、吸引口の一部が開いているものである。
【００１２】
請求項５記載の発明は、請求項３記載の発明において、レバーを、上げた位置及び下げた位置にて、それぞれ、吸引部に固定する、レバー上下固定機構を有しているものである。
【００１３】
請求項６記載の発明は、請求項３記載の発明において、モップ部を上方向に付勢するばね機構と、レバーを下げた位置にて吸引部に固定するレバー下固定機構と、を備えたものである。
【００１４】
請求項７記載の発明は、請求項３記載の発明において、モップ部を下方向に付勢するばね機構と、レバーを上げた位置にて吸引部に固定するレバー上固定機構と、を備えたものである。
【００１５】
請求項８記載の発明は、塵埃等を払拭除去するモップ機能と、塵埃等を吸引除去する掃除機機能と、を備えた清掃具であって、掃除機本体を備えた柄部と、柄部の先端に連結され、且つ、掃除機本体に連通した吸引口を有する、吸引部と、吸引部に一体に設けられ、且つ、払拭面を有する、モップ部と、からなり、吸引部使用状態とモップ部使用状態とが切替え可能となっており、吸引部が、柄部の先端に、吸引口を下に向けた状態で、且つ、水平軸回りに回動可能に、設けられており、モップ部が、吸引部外に、一端にて水平軸回りに回動可能に設けられており、モップ部は、一方に回動させると、吸引口を覆う位置で、払拭面が、吸引口より低い位置又は同じ高さ位置で下を向いた状態となり、他方に回動させると、他端が柄部に引っ掛けられた状態となるよう、設けられており、モップ部を回動させることによって、モップ部が吸引口を覆う位置にあるモップ部使用状態と、他端が柄部に引っ掛けられた吸引部使用状態と、を切替えるようになっているものである。
【００１６】
請求項９記載の発明は、請求項８記載の発明において、払拭面が吸引口より低い位置又は同じ高さ位置にある場合に、モップ部の周辺の少なくとも一部には、吸引口の一部が開いているものである。
【００１７】
【発明の実施の形態】
（参考形態）
図１は本参考形態の清掃具１の全体斜視図である。清掃具１は、柄部２と、吸引部３と、モップ部４とからなっている。柄部２は、下部が掃除機本体２１を内蔵して太くなっており、上部が細い棒状となっている。
【００１８】
図２は図１のII矢視拡大図、図３は図１のIII矢視拡大図、図４は図１のIV矢視拡大図、図５は図３のＶ−Ｖ断面図である。図５に示すように、吸引部３は、縦断面略三角形状の空洞体であり、底面部３１と、傾斜した上面３２と、後面３３とで、構成されている。底面部３１は吸引口３１１となる開口を有している。また、底面部３１には、ローラ３１２が前と後に設けられている。ローラ３１２は、床面に当接した際に、吸引口３１１を床面から少し浮かせるように、設けられている。吸引部３は、後部において、吸引管２２に連通している。吸引管２２は、掃除機本体２１に連通している。
【００１９】
吸引管２２は、図５において矢印Ａで示すように、吸引部３に対して回動可能に連結している。その連結構造は、次のようになっている。即ち、吸引部３の後部内部には、円筒体２３が水平軸回りに回動可能に支持されている。円筒体２３は、両側において筒状受部３４１で支持されることにより、水平軸回りに回動可能となっている。そして、この円筒体２３の中央部に吸引管２２が後方から連通している。円筒体２３には、吸引管２２と吸引部３内部とを連通させるための開口２３１が形成されている。
【００２０】
吸引部３内部には、前骨格３４２と、後下骨格３４３と、後上骨格３４４とが、設けられている。後下骨格３４３及び後上骨格３４４は、円筒体２３を支持している。
【００２１】
モップ部４は、基板４１に払拭面４２が接合されて構成されている。払拭面４２は、例えば、パイル布や不織布などでできている。そして、吸引部３の上面３２には、モップ部４が、払拭面４２を表にして、設けられている。基板４１は、例えば、両面テープや面ファスナーにより、上面３２に脱着自在に固定されている。
【００２２】
次に、清掃具１の作動について説明する。
図２に示す状態は、吸引部使用状態である。この状態において、掃除機本体２１を作動させると、床面の塵埃等は、図５に矢印Ｂで示すように、吸引口３１１から吸引され、開口２３１、円筒体２３、及び吸引管２２を通って、掃除機本体２１に至る。即ち、吸引部使用状態では、掃除機機能を発揮でき、塵埃等が吸引除去される。
【００２３】
一方、吸引管２２即ち柄部２を、吸引部３に対して水平軸回りに図５の一点鎖線の位置まで回動させると、吸引部３は、図６に示す状態となる。これは、モップ部使用状態である。この状態では、モップ部４の払拭面４２が下に向いているので、払拭面４２を床面に当接摺動させることにより、塵埃等が払拭除去される。従って、モップ部使用状態では、モップ機能を発揮できる。
【００２４】
上述したように、清掃具１は、図２の吸引部使用状態で掃除機機能を発揮でき、図６のモップ部使用状態でモップ機能を発揮できる。即ち、清掃具１は、掃除機機能及びモップ機能の両方を備えている。そして、清掃具１においては、柄部２を吸引部３に対して水平軸回りに回動させることにより、吸引部使用状態とモップ部使用状態とが切替わるようになっている。従って、本実施形態の清掃具１によれば、１個の清掃具１によって、掃除機による清掃とモップによる清掃とを簡単に切替えながら行うことができるので、モップと掃除機とを使用する清掃の作業効率を著しく向上できる。
【００２５】
（実施形態１）
図７は本実施形態の清掃具１の全体斜視図である。清掃具１は、柄部２と、吸引部３と、モップ部４とからなっている。柄部２は、下部が掃除機本体２１を内蔵して太くなっており、上部が細い棒状となっている。
【００２６】
図８は図７のVIII矢視拡大図、図９は図７のIX矢視拡大図、図１０は図９のＸ−Ｘ断面図である。図１０に示すように、吸引部３は、矩形の空洞体であり、底面部３１と、四方の側面３５と、上面部３６とで、構成されている。底面部３１は、吸引口３１１となる開口を有している。また、底面部３１には、ローラ３１２が前と後に設けられている。ローラ３１２は、床面に当接した際に、吸引口３１１を床面から少し浮かせるように、設けられている。上面部３６は、中央部が上方に突出しており、該突出部３６１において、吸引部３は吸引管２２に連通している。吸引管２２は、掃除機本体２１に連通している。
【００２７】
吸引管２２は、図１０において矢印Ｃで示すように、吸引部３に対して回動可能に連結している。その連結構造は、次のようになっている。即ち、吸引部３の突出部３６１内部には、円筒体２３が水平軸回りに回動可能に支持されている。円筒体２３は、両側において筒状受部３４１で支持されることにより、水平軸回りに回動可能となっている。そして、この円筒体２３の中央部に吸引管２２が上方から連通している。円筒体２３には、吸引管２２と吸引部３内部とを連通させるための開口２３１が形成されている。
【００２８】
モップ部４は、基板４１に払拭面４２が接合されて構成されている。払拭面４２は、例えば、パイル布や不織布などでできている。そして、モップ部４は、水平軸４３を介して、吸引部３に支持されている。水平軸４３は、基板４１に連結しており、基板４１から水平に延びており、吸引部３の前側の側面３５に、軸回りに回転自在に、支持されている。従って、モップ部４は、水平軸４３回りに回動可能となっている。モップ部４は、図１０に示すように、払拭面４２が下を向いている場合には、払拭面４２が吸引口３１１より（厳密にはローラ３１２より）低い位置となるよう、支持されており、図１１に示すように、払拭面４２が上を向いている場合には、基板４１が吸引口３１１より（厳密にはローラ３１２より）高い位置となるよう、支持されている。
【００２９】
次に、清掃具１の作動について説明する。
図１０に示す状態は、モップ部使用状態である。この状態では、モップ部４の払拭面４２が、下を向いており且つ吸引口３１１より低い位置にあるので、払拭面４２を床面に当接摺動させることができ、それにより、塵埃等が払拭除去される。従って、モップ部使用状態では、モップ機能を発揮できる。
【００３０】
一方、モップ部４を、図１０の矢印Ｄに示すように、水平軸４３回りに半回転させると、モップ部４は図１１の状態となる。これは、吸引部使用状態である。この状態において、掃除機本体２１を作動させると、床面の塵埃等は、図１１に矢印Ｅで示すように、吸引口３１１から吸引され、開口２３１、円筒体２３、及び吸引管２２を通って、掃除機本体２１に至る。即ち、吸引部使用状態では、掃除機機能を発揮でき、塵埃等が吸引除去される。
【００３１】
上述したように、清掃具１は、図１０のモップ部使用状態でモップ機能を発揮でき、図１１の吸引部使用状態で掃除機機能を発揮できる。即ち、清掃具１は、掃除機機能及びモップ機能の両方を備えている。そして、清掃具１においては、モップ部４を吸引部３に対して水平軸４３回りに回動させることにより、吸引部使用状態とモップ部使用状態とが切替わるようになっている。従って、本実施形態の清掃具１によれば、１個の清掃具１によって、掃除機による清掃とモップによる清掃とを簡単に切替えながら行うことができるので、モップと掃除機とを使用する清掃の作業効率を著しく向上できる。
【００３２】
なお、モップ部４は、モップ部使用状態における払拭面４２が吸引口３１１と同じ高さ位置となるよう、設けてもよい。この場合には、払拭面４２を床面に当接摺動させることにより、モップ機能を発揮できると共に、掃除機本体２１を作動させることにより、吸引部３による掃除機機能も発揮できる。即ち、モップ機能と掃除機機能とを同時に発揮できる。
【００３３】
（実施形態２）
図１２は本実施形態の清掃具１の全体斜視図である。清掃具１は、柄部２と、吸引部３と、モップ部４とからなっている。柄部２は、下部が掃除機本体２１を内蔵して太くなっており、上部が細い棒状となっている。
【００３４】
図１３は図１２のＸIII矢視拡大図、図１４は図１３のＸIV−ＸIV断面図である。図１４に示すように、吸引部３は、矩形の空洞体であり、底面部３１と、四方の側面３５と、上面部３６とで、構成されている。底面部３１は、吸引口３１１となる開口を有している。また、底面部３１には、ローラ３１２が前と後に設けられている。ローラ３１２は、床面に当接した際に、吸引口３１１を床面から少し浮かせるように、設けられている。上面部３６は、中央部が上方に突出しており、該突出部３６１において、吸引部３は吸引管２２に連通している。吸引管２２は、掃除機本体２１に連通している。
【００３５】
吸引管２２は、図１４において矢印Ｆで示すように、吸引部３に対して回動可能に連結している。その連結構造は、次のようになっている。即ち、吸引部３の突出部３６１内部には、円筒体２３が水平軸回りに回動可能に支持されている。円筒体２３は、両側において筒状受部３４１（図１３）で支持されることにより、水平軸回りに回動可能となっている。そして、この円筒体２３の中央部に吸引管２２が上方から連通している。円筒体２３には、吸引管２２と吸引部３内部とを連通させるための開口２３１が形成されている。更に、円筒体２３には、円筒体２３を軸としたカム２３２が設けられている。
【００３６】
モップ部４は、基板４１に払拭面４２が接合されて構成されている。払拭面４２は、例えば、パイル布や不織布でできている。そして、モップ部４は、払拭面４２が下を向いた状態で、横軸４４を介して、吸引部３に支持されている。横軸４４は、吸引部３の前側の側面３５の貫通孔３５１を通っており、先端部がモップ部４の基板４１の背面に固定されており、中央部が吸引部３内にて水平軸４５により軸支されており、後端部が円筒体２３の下方に位置している。横軸４４は、水平軸４５を支点とした梃子となっている。
【００３７】
そして、図１４に示すように、カム２３２の膨出部２３２１が斜め上方に位置している場合には、横軸４４の後端部が円筒体２３に下方から当接し、横軸４４は水平となり、モップ部４は水平に支持される。その場合において、モップ部４は、払拭面４２が吸引口３１１より（厳密にはローラ３１２より）低い位置となるよう、支持されている。
【００３８】
一方、図１５に示すように、カム２３２の膨出部２３２１が斜め下方に位置している場合には、横軸４４の後端部が膨出部２３２１によって下方に押され、横軸４４は梃子運動をし、横軸４４の先端部のモップ部４は上方に上がる。その場合において、モップ部４は、払拭面４２が吸引口３１１より（厳密にはローラ３１２より）高い位置となるよう、支持されている。
【００３９】
次に、清掃具１の作動について説明する。
図１４に示す状態は、モップ部使用状態である。この状態では、モップ部４の払拭面４２が、下を向いており且つ吸引口３１１より低い位置にあるので、払拭面４２を床面に当接摺動させることができ、それにより、塵埃等が払拭除去される。従って、モップ部使用状態では、モップ機能を発揮できる。
【００４０】
一方、吸引管２２即ち柄部２を、図１４の矢印Ｆに示すように、回動させると、モップ部４は図１５の状態となる。これは、吸引部使用状態である。この状態において、掃除機本体２１を作動させると、床面の塵埃等は、図１５に矢印Ｇで示すように、吸引口３１１から吸引され、開口２３１、円筒体２３、及び吸引管２２を通って、掃除機本体２１に至る。即ち、吸引部使用状態では、掃除機機能を発揮でき、塵埃等が吸引除去される。
【００４１】
上述したように、清掃具１は、図１４のモップ部使用状態でモップ機能を発揮でき、図１５の吸引部使用状態で掃除機機能を発揮できる。即ち、清掃具１は、掃除機機能及びモップ機能の両方を備えている。そして、清掃具１においては、柄部２を吸引部３に対して水平軸回りに回動させることにより、吸引部使用状態とモップ部使用状態とが切替わるようになっている。従って、本実施形態の清掃具１によれば、１個の清掃具１によって、掃除機による清掃とモップによる清掃とを簡単に切替えながら行うことができるので、モップと掃除機とを使用する清掃の作業効率を著しく向上できる。
【００４２】
なお、モップ部４は、モップ部使用状態における払拭面４２が吸引口３１１（厳密にはローラ３１２）と同じ高さ位置となるよう、設けてもよい。この場合には、払拭面４２を床面に当接摺動させることにより、モップ機能を発揮できると共に、掃除機本体２１を作動させることにより、吸引部３による掃除機機能も発揮できる。即ち、モップ機能と掃除機機能とを同時に発揮できる。
【００４３】
（実施形態３）
図１６は本実施形態の清掃具１の全体斜視図である。清掃具１は、柄部２と、吸引部３と、モップ部４とからなっている。柄部２は、下部が掃除機本体２１を内蔵して太くなっており、上部が細い棒状となっている。
【００４４】
図１７は図１６のＸVII矢視拡大図、図１８は図１７のＸVIII−ＸVIII断面図、図１９は図１８とは異なる使用状態を示す断面図である。図１８に示すように、吸引部３は、縦断面略三角形状の空洞体であり、底面部３１と、傾斜した上面３２と、後面３３とで、構成されている。底面部３１は、吸引口３１１となる開口を有している。また、底面部３１には、ローラ３１２が前と後に設けられている。ローラ３１２は、床面に当接した際に、吸引口３１１を床面から少し浮かせるように、設けられている。吸引部３は、後部において、二股状の吸引管２２に連通している。吸引管２２は、掃除機本体２１に連通している。
【００４５】
吸引管２２は、図１８において矢印Ｈで示すように、吸引部３に対して回動可能に連結している。その連結構造は、次のようになっている。即ち、吸引部３の後部内部には、２個の円筒体２３が水平軸回りに回動可能に支持されている。各円筒体２３は、実施形態１〜３の場合と同様に、両側において筒状受部（図示せず）で支持されることにより、水平軸回りに回動可能となっている。そして、各円筒体２３の中央部に、吸引管２２の２つの分岐管２２１がそれぞれ後方から連通している。各円筒体２３には、吸引管２２と吸引部３内部とを連通させるための開口２３１が形成されている。
【００４６】
モップ部４は、基板４１に払拭面４２が接合されて構成されている。払拭面４２は、例えば、パイル布や不織布でできている。そして、モップ部４は、払拭面４２を下にした状態で、吸引部３内に、前端部の水平軸４６回りに回動可能に、設けられている。水平軸４６にはスプリング４６１が支持されている。スプリング４６１は、モップ部４を水平軸４６回りに上方向へ付勢している。モップ部４の後端には、レバー４７が固定されている。レバー４７は、後面３３を貫通して吸引部３外に突出して設けられている。レバー４７は、図１７の矢印Ｊに示すように、モップ部４を伴って、縦スリット３３１内を上下動するようになっている。レバー４７は、先端に、拡縮する摘み部４７１を有している。摘み部４７１は、両側から指で挟むと、幅狭となって縦スリット３３１内を通過可能となるが、挟んだ指を離すと、拡幅して縦スリット３３１内を通過不能となる。縦スリット３３１の上端及び下端には、拡幅した摘み部４７１が保持される横スリット３３２，３３３が形成されている。従って、摘み部４７１と横スリット３３３とにより、レバー４７を下げた位置にて吸引部３に固定するレバー下固定機構が構成されており、摘み部４７１と横スリット３３２とにより、レバー４７を上げた位置にて吸引部３に固定するレバー上固定機構が構成されている。
【００４７】
モップ部４は、摘み部４７１が横スリット３３３内に保持されている場合には、図１８に示すように、吸引口３１１を塞ぐように位置しており、その際、払拭面４２は、吸引口３１１より（厳密にはローラ３１２より）低い位置にある。また、モップ部４は、摘み部４７１が横スリット３３２内に保持されている場合には、図１９に示すように、上面３２の内面に当接するよう位置している。
【００４８】
次に、清掃具１の作動について説明する。
図１８に示す状態は、モップ部使用状態である。摘み部４７１は横スリット３３３内に保持されている。この状態では、モップ部４の払拭面４２が、下を向いており且つ吸引口３１１より低い位置にあるので、払拭面４２を床面に当接摺動させることができ、それにより、塵埃等が払拭除去される。従って、モップ部使用状態では、モップ機能を発揮できる。
【００４９】
一方、横スリット３３３内に保持されている摘み部４７１を、両側から指で挟んで幅狭にして縦スリット３３１内を通過可能とし、レバー４７を縦スリット３３１に沿って引き上げ、摘み部４７１から挟んだ指を離し、摘み部４７１を拡幅させて横スリット３３２内に保持させると、モップ部４は図１９の状態となる。これは、吸引部使用状態である。この状態において、掃除機本体２１を作動させると、床面の塵埃等は、図１９に矢印Ｋで示すように、吸引口３１１から吸引され、開口２３１、円筒体２３、及び吸引管２２を通って、掃除機本体２１に至る。即ち、吸引部使用状態では、掃除機機能を発揮でき、塵埃等が吸引除去される。
【００５０】
掃除機機能が発揮される際、吸引口３１１から吸引される空気は、払拭面４２の表面上も通過するので、払拭面４２に付着していた塵埃等も吸引されて、掃除機本体２１に至る。それ故、清掃具１を掃除機として使用した後のモップ部４の払拭面４２は、付着していた塵埃等が減少した清浄なものとなる。従って、本実施形態の清掃具１によれば、モップ部４の払拭面４２を清浄にすることもでき、モップ部４の払拭機能を長期間良好に維持できる。
【００５１】
上述したように、清掃具１は、図１８のモップ部使用状態でモップ機能を発揮でき、図１９の吸引部使用状態で掃除機機能を発揮できる。即ち、清掃具１は、掃除機機能及びモップ機能の両方を備えている。そして、清掃具１においては、モップ部４をレバー４７によって水平軸４６回りに回動させることにより、吸引部使用状態とモップ部使用状態とが切替わるようになっている。従って、本実施形態の清掃具１によれば、１個の清掃具１によって、掃除機による清掃とモップによる清掃とを簡単に切替えながら行うことができるので、モップと掃除機とを使用する清掃の作業効率を著しく向上できる。
【００５２】
しかも、モップ部４がスプリング４６１によって水平軸４６回りに上方向へ付勢されているので、レバー４７を弱い力で上に引き上げることができ、また、モップ部４を図１９の状態に安定して維持できる。
【００５３】
更に、本実施形態では、モップ部４を、モップ部使用状態においてモップ部４の周辺の一部に吸引口３１１の一部が開いているように設けている。それ故、モップ部使用状態において、払拭面４２を床面に当接摺動させながら、掃除機本体２１を作動させると、吸引口３１１の上記一部から塵埃等が吸引除去されることとなるので、モップ機能と掃除機機能とが同時に発揮されることとなる。また、この場合には、モップ部４は、モップ部使用状態における払拭面４２が吸引口３１１（厳密にはローラ３１２）と同じ高さ位置となるよう、設けてもよい。
【００５４】
なお、モップ部４は、モップ部使用状態において吸引口３１１の全てを塞ぐように設けてもよい。また、この場合には、モップ部４は、モップ部使用状態における払拭面４２が吸引口３１１（厳密にはローラ３１２）と同じ高さ位置となるよう、設けてもよい。
【００５５】
また、本実施形態では、モップ部４を水平軸４６回りに上方向へ付勢するスプリング４６１と、レバー下固定機構と、レバー上固定機構とを設けているが、スプリング４６１が、モップ部４を吸引部使用状態に維持するだけの弾性力を有しているならば、レバー上固定機構は省略してもよい。
【００５６】
また、モップ部４を水平軸４６回りに下方向へ付勢するスプリングを設け、該スプリングが、モップ部４をモップ部使用状態に維持するだけの弾性力を有しているならば、レバー下固定機構は省略してもよい。
【００５７】
（実施形態４）
図２０は本実施形態の清掃具１の全体斜視図である。清掃具１は、柄部２と、吸引部３と、モップ部４とからなっている。柄部２は、下部が掃除機本体２１を内蔵して太くなっており、上部が細い棒状となっている。
【００５８】
図２１は図２０のＸＸＩ矢視拡大図、図２２は図２１のＸＸII−ＸＸII断面図、図２３は図２２とは異なる使用状態を示す断面図である。図２３に示すように、吸引部３は、縦断面略三角形状の空洞体であり、底面部３１と、傾斜した上面３２と、後面３３とで、構成されている。底面部３１は、吸引口３１１となる開口を有している。また、底面部３１には、ローラ３１２が前と後に設けられている。ローラ３１２は、床面に当接した際に、吸引口３１１を床面から少し浮かせるように、設けられている。吸引部３は、後部において、吸引管２２に連通している。吸引管２２は、掃除機本体２１に連通している。
【００５９】
吸引管２２は、図２２において矢印Ｌで示すように、吸引部３に対して回動可能に連結している。その連結構造は、次のようになっている。即ち、吸引部３の後部内部には、円筒体２３が水平軸回りに回動可能に支持されている。円筒体２３は、実施形態１〜３の場合と同様に、両側において筒状受部（図示せず）で支持されることにより、水平軸回りに回動可能となっている。そして、円筒体２３の中央部に、吸引管２２が後方から連通している。なお、円筒体２３には、吸引管２２と吸引部３内部とを連通させるための開口２３１が形成されている。
【００６０】
モップ部４は、基板４１に払拭面４２が接合されて構成されている。払拭面４２は、例えば、パイル布や不織布でできている。モップ部４は、後端部４０１にて、吸引部３の後方で、水平軸４８１に、水平軸４８１回りに回動可能に、支持されている。モップ部４は、水平軸４８１回りに回動することによって、図２２に示すように吸引部３の吸引口３１１を塞ぐ状態、及び図２３に示すように柄部２に沿って支持された状態の、いずれかとなるようになっている。図２４は図２２のＸＸIV矢視部分拡大図であり、モップ部４の後端部４０１と水平軸４８１との接続構造を示している。水平軸４８１は、吸引部３の後面３３に固定されたコ字体４８の一部である。後端部４０１は、突片４０１１を介して水平軸４８１に支持されている。図２２の状態では、払拭面４２は下を向いている。
【００６１】
モップ部４の前端部４０２は、図２２の状態では吸引部３の前端部に係止され、図２３の状態では柄部２に係止されるようになっている。具体的には、前端部４０２は、基板４１に、係合溝４０３及び係合突起４０４を有している。係合突起４０４は、図２２の状態では、吸引部３内の係合爪３０１に係合するようになっている。これにより、モップ部４は、図２２の状態に保持される。係合突起４０４と係合爪３０１との係合は、吸引部３の上面３２を貫通して設けられたボタン３０２を押すことにより、解かれるようになっている。係合溝４０３には、図２３の状態において、柄部２の突片２４１に回動自在に支持されたリング２４２が係合するようになっている。これにより、モップ部４は、図２３の状態に保持される。
【００６２】
次に、清掃具１の作動について説明する。
図２２に示す状態は、モップ部使用状態である。この状態では、モップ部４の払拭面４２が、下を向いており且つ吸引口３１１より低い位置にあるので、払拭面４２を床面に当接摺動させることができ、それにより、塵埃等が払拭除去される。従って、モップ部使用状態では、モップ機能を発揮できる。
【００６３】
一方、図２２の状態において、ボタン３０２を押して係合突起４０４と係合爪３０１との係合を解き、モップ部４を、前端部４０２が柄部２付近に来るまで、水平軸４８１回りに回動させて、リング２４２を係合溝４０３に係合させると、モップ部４は図２３の状態となる。これは、吸引部使用状態である。この状態において、掃除機本体２１を作動させると、床面の塵埃等は、図２３に矢印Ｍで示すように、吸引口３１１から吸引され、開口２３１、円筒体２３、及び吸引管２２を通って、掃除機本体２１に至る。即ち、吸引部使用状態では、掃除機機能を発揮でき、塵埃等が吸引除去される。
【００６４】
上述したように、清掃具１は、図２２のモップ部使用状態でモップ機能を発揮でき、図２３の吸引部使用状態で掃除機機能を発揮できる。即ち、清掃具１は、掃除機機能及びモップ機能の両方を備えている。そして、清掃具１においては、ボタン３０２を押し、モップ部４を回動させ、リング２４２を係合溝４０３に係合させることにより、モップ部使用状態が吸引部使用状態に切替わり、その逆に、係合溝４０３からリング２４２を外し、モップ部４を回動させ、係合突起４０４を係合爪３０１に係合させることにより、吸引部使用状態がモップ部使用状態に切替わるようになっている。従って、本実施形態の清掃具１によれば、１個の清掃具１によって、掃除機による清掃とモップによる清掃とを簡単に切替えながら行うことができるので、モップと掃除機とを使用する清掃の作業効率を著しく向上できる。
【００６５】
なお、本実施形態では、モップ部４を、モップ部使用状態において吸引口３１１の全てを塞ぐように設けているが、モップ部使用状態においてモップ部４の周辺の一部に吸引口３１１の一部が開いているように設けてもよい。後者の場合には、モップ部使用状態において、払拭面４２を床面に当接摺動させながら、掃除機本体２１を作動させると、吸引口３１１の上記一部から塵埃等が吸引除去されることとなるので、モップ機能と掃除機機能とが同時に発揮されることとなる。また、前者及び後者のいずれの場合にも、モップ部４は、モップ部使用状態における払拭面４２が吸引口３１１（厳密にはローラ３１２）と同じ高さ位置となるよう、設けてもよい。
【００６６】
【発明の効果】
請求項１，２，３，又は８に記載の発明によれば、１個の清掃具によって、掃除機による清掃とモップによる清掃とを切替えながら行うことができるので、モップと掃除機とを使用する清掃の作業効率を向上できる。
【００６７】
また、掃除機による清掃とモップによる清掃との切替えを簡単に行うことができるので、モップと掃除機とを使用する清掃の作業効率を著しく向上できる。
【００６８】
請求項４又は９に記載の発明によれば、モップ機能と掃除機機能とを同時に発揮させることができる。
【００６９】
請求項５，６，又は７に記載の発明によれば、請求項３記載の清掃具において、モップ部使用状態と吸引部使用状態とをそれぞれ安定して維持できる。
【図面の簡単な説明】
【図１】  参考形態の清掃具の全体斜視図である。
【図２】  図１のII矢視拡大図である。
【図３】  図１のIII矢視拡大図である。
【図４】  図１のIV矢視拡大図である。
【図５】  図３のＶ−Ｖ断面図である。
【図６】  図２とは異なる使用状態を示す側面図である。
【図７】  実施形態１の清掃具の全体斜視図である。
【図８】  図７のVIII矢視拡大図である。
【図９】  図７のIX矢視拡大図である。
【図１０】  図９のＸ−Ｘ断面図である。
【図１１】  図１０とは異なる使用状態を示す断面図である。
【図１２】  実施形態２の清掃具の全体斜視図である。
【図１３】  図１２のＸIII矢視拡大図である。
【図１４】  図１３のＸIV−ＸIV断面図である。
【図１５】  図１４とは異なる使用状態を示す断面図である。
【図１６】  実施形態３の清掃具の全体斜視図である。
【図１７】  図１６のＸVII矢視拡大図である。
【図１８】  図１７のＸVIII−ＸVIII断面図である。
【図１９】  図１８とは異なる使用状態を示す断面図である。
【図２０】  実施形態４の清掃具の全体斜視図である。
【図２１】  図２０のＸＸＩ矢視拡大図である。
【図２２】  図２１のＸＸII−ＸＸII断面図である。
【図２３】  図２２とは異なる使用状態を示す断面図である。
【図２４】  図２２のＸＸIV矢視部分拡大図である。
【符号の説明】
１  清掃具
２  柄部
２１  掃除機本体
３  吸引部
３１１  吸引口
４  モップ部
４２  払拭面
４３，４６  水平軸
４４  横軸（梃子）
４７  レバー
４６１  スプリング
【図１】
0003817183.tif 000002
【図２】
0003817183.tif 000003
【図３】
0003817183.tif 000004
【図４】
0003817183.tif 000005
【図５】
0003817183.tif 000006
【図６】
0003817183.tif 000007
【図７】
0003817183.tif 000008
【図８】
0003817183.tif 000009
【図９】
0003817183.tif 000010
【図１０】
0003817183.tif 000011
【図１１】
0003817183.tif 000012
【図１２】
0003817183.tif 000013
【図１３】
0003817183.tif 000014
【図１４】
0003817183.tif 000015
【図１５】
0003817183.tif 000016
【図１６】
0003817183.tif 000017
【図１７】
0003817183.tif 000018
【図１８】
0003817183.tif 000019
【図１９】
0003817183.tif 000020
【図２０】
0003817183.tif 000021
【図２１】
0003817183.tif 000022
【図２２】
0003817183.tif 000023
【図２３】
0003817183.tif 000024
【図２４】
0003817183.tif 000025